(57)【要約】【課題】一旦、捕球具内に入ったボールの落球の抑制が図られた野球またはソフトボール用捕球具を提供する。【解決手段】本発明に係る野球またはソフトボール用捕球具は、ボールを受ける受球面皮１０と、使用者の親指を受け入れる親指袋２と、使用者の親指以外の指を受け入れる指袋４，５，６，７と、使用者の手を挿入するための開口部８１と、受球面皮の表面のうち、開口部８１側に位置する土手部８０と、土手部８０に設けられ、ボールが土手部８０から出るのを抑制可能な捕球補助部２０とを備える。【選択図】図１
2007267812.tif 000002
【特許請求の範囲】
【請求項１】
ボールを受ける受球面皮（１０）と、
使用者の親指を受け入れる親指袋（２）と、
使用者の親指以外の指を受け入れる指袋（４，５，６，７）と、
使用者の手を挿入するための開口部（８１）と、
前記受球面皮の表面のうち、前記開口部（８１）側に位置する土手部（８０）と、
前記土手部（８０）に設けられ、ボールが前記土手部（８０）から出るのを抑制可能な捕球補助部（２０）と、
を備えた野球またはソフトボール用捕球具。
【請求項２】
前記受球面皮（１０）を構成する材料と異なる材料により前記捕球補助部（２０）を構成した、請求項１に記載の野球またはソフトボール用捕球具。
【発明の詳細な説明】
【技術分野】
【０００１】
本発明は、野球またはソフトボール用捕球具に関する。
【背景技術】
【０００２】
従来の野球またはソフトボール用捕球具は、親指袋と、人差指袋と、中指袋と、薬指袋と、小指袋と、親指袋と人差指袋との間に設けられたウエブ部と土手部とを備えている。
【０００３】
この従来の捕球具を用いてボールを捕球するときには、一般に、親指袋と、中指袋または薬指袋とでボールを把持する。
【０００４】
そして、ボールには、親指袋からの応力と、中指袋または薬指袋からの応力との合力が加えられる。
【０００５】
このボールに加えられる応力の合力の方向は、捕球具の土手部から外方に向かう方向となっている。このため、ボールと捕球具との間の摩擦よりも、ボールに加えられる応力の合力の方が大きくなると、ボールが土手部をとおり、外方に飛び出すおそれがある。
【０００６】
その一方で、捕球されたボールの底部と、捕球具の土手部近傍の表面との間には、隙間があいており、捕球具には、こぼれ落ちるボールを抑止する部材がない。このため、従来の捕球具では、一旦こぼれ落ちかけたボールを捕球具内に保持することが困難なものとなっている。
【０００７】
このような落球を抑制する捕球具として、たとえば、特開平１０−１６５５５８号公報には、親指袋から土手部を通り、小指袋に至る緩衝体が設けられた野球またはソフトボール用捕球具が提案されている。この緩衝体は、皮革内に、スポンジやフェルトなどの衝撃吸収部材が設けられている。このような緩衝体が設けられた捕球具においては、ボールが落球しようとすると、緩衝体にボールが引っ掛かり、ボールの落球を抑制することができる。
【０００８】
また、捕球具の土手部に緩衝体を設けた捕球具としては、特開平１０−３２８３４５号公報に記載された捕球具がある。
【特許文献１】特開平１０−１６５５５８号公報
【特許文献２】特開平１０−３２８３４５号公報
【発明の開示】
【発明が解決しようとする課題】
【０００９】
しかし、特開平１０−１６５５５８号公報および特開平１０−３２８３４５号公報に記載された捕球具においては、緩衝体内には、フェルト等の衝撃緩衝部材が入れ込まれており、容易に変形するものとなっている。
【００１０】
このため、緩衝体に引っ掛かったボールを再度、親指袋等で捕球しようとしても、ボールを介して、親指袋や中指袋からの応力によって緩衝体が変形し易くなっている。このため、ボールと緩衝体との引っ掛かりが無くなり、ボールが落球するおそれがある。
【００１１】
本発明は、上記のような課題に鑑みてなされたものであり、その目的は、一旦、捕球具内に入ったボールの落球の抑制が図られた野球またはソフトボール用捕球具を提供することである。
【課題を解決するための手段】
【００１２】
本発明に係る野球またはソフトボール用捕球具は、ボールを受ける受球面皮と、使用者の親指を受け入れる親指袋と、使用者の親指以外の指を受け入れる指袋と、使用者の手を挿入するための開口部と、受球面皮の表面のうち、開口部側に位置する土手部と、土手部に設けられ、ボールが土手部から出るのを抑制可能な捕球補助部とを備える。好ましくは、受球面皮を構成する材料と異なる材料により捕球補助部を構成する。
【発明の効果】
【００１３】
本発明に係る野球またはソフトボール用捕球具によれば、一旦、捕球具内に入ったボールの抑制を図ることができる。
【発明を実施するための最良の形態】
【００１４】
図１は、本実施の形態に係る捕球具（野球またはソフトボール用捕球具）１の正面図である。この図１に示されるように、捕球具１は、受球面皮１０と背面皮９とを縫着させて形成された表皮１６と、表皮１６内に挿入された裏皮とから構成されている。この捕球具１は、使用者の親指を受け入れる親指袋２と、ウエブ部３と、使用者の親指以外の指を受け入れる指袋３１と、使用者の手が挿入される開口部８１とを備えている。この指袋３１は、使用者の人差指を受け入れる人差指袋４と、使用者の中指を受け入れる中指袋５と、使用者の薬指を受け入れる薬指袋６と、使用者の小指を受け入れる小指袋７とを備える。
【００１５】
人差指袋４と中指袋５との間と、中指袋５と薬指袋６との間と、薬指袋６と小指袋７との間とは、革帯８によって互いに結びつけられている。ウエブ部３は、親指袋２と人差指袋４との間に設けられている。受球面皮１０の表面のうち、開口部８１側に位置する土手部８０には、捕球補助部２０が設けられている。
【００１６】
図２は、開口部８１側から捕球具１を見た斜視図である。この図２および図１に示されるように、捕球補助部２０は、土手部８０のうち、親指袋２の付根部２ａと小指袋７の付根部７ａとの間に設けられている。
【００１７】
親指袋２の付根部２ａは、親指袋２のウエブ部３側の側面の基部と、開口部８１の親指袋２側の端部との間に亘って延在している。また、小指袋７の付根部７ａは、小指袋７の薬指袋６側の側面の基部から、開口部８１の小指袋７側の端部との間に亘って延在している。
【００１８】
図３（ａ）は、背面皮９の正面図であり、（ｂ）は、受球面皮１０の正面図である。この図３（ａ）、（ｂ）に示されるように、背面皮９は、５本の指袋を形成するように複数の皮革からなるパーツを縫製して作成されている。また、受球面皮１０は、５本の指型形状を有するように形成されている。これら受球面皮１０および背面皮９はいずれも、天然皮革、合成皮革、その他これらと同材質の材料からなる。上記受球面皮１０と背面皮９との周縁を両者とも銀面側が内側になるように、手口挿入部を除いて縫製した後、銀面側が表側となるように表裏反転させる。それにより図１に示す表皮１６を作製する。表皮１６の内側には、裏皮が設けられており、手甲皮と手掌皮とから構成されている。
【００１９】
図３（ｃ）は、手甲皮１１の正面図であり、図３（ｄ）は、手掌皮１２の正面図である。この図３（ｃ）および（ｄ）に示されるように、手甲皮１１はそれぞれ５本の指袋を形成するように複数の皮革から成るパーツを縫製して作製され、手掌皮１２は受球面皮１０よりも小さく裁断した５本の略指型形状を有する。手甲皮１１と手掌皮１２も、天然皮革、合成皮革、その他これらと同効質の材料からなる。
【００２０】
図４は、裏皮１７の正面図である。この図１７に示されるように、裏皮１７のうち、図１に示す捕球補助部２０下に対応する部分を含み、親指袋２に対応する領域から土手部８０に対応する部分に亘って土手芯材３０が縫着されている。この土手芯材３０は、たとえば、フェルトなどから構成されている。
【００２１】
図５は、図１のＶ−Ｖ線における断面図である。この図５に示されるように、捕球補助部２０は、受球面皮１０に形成された開口部１０ａ内に挿入され、受球面皮１０に縫着される脚部２１と、開口部１０ａから受球面皮１０の表面から外方に突出する突出部２３とを備えている。この捕球補助部２０の高さＨは、たとえば、０．５ｃｍ以上３ｃｍ以下とされている。
【００２２】
ここで、捕球補助部２０の高さＨは、受球面皮１０の表面から捕球補助部２０の上面までの距離とする。なお、捕球補助部２０の上面が、湾曲したり、傾斜している場合には、捕球補助部２０の上面のうち、最も高い位置と受球面皮１０の表面との距離を、捕球補助部２０の高さＨとする。
【００２３】
突出部２３のポケット部９０側の側面２３ａは、ポケット部９０側の高さよりも、開口部８１側の高さの方が高くなるように傾斜する傾斜面とされている。そして、側面２３ａと、受球面皮１０の表面とのなす角度θは、４５°以上とされている。
【００２４】
このような捕球補助部２０は、たとえば、ナイロン、ポリウレタン、ウレタン、ＥＶＡ（エチレン−酢酸ビニル共重合体）、ＶＳ−１（ポリスチレンとビニル−ポリイソプレンとのトリブロック共重合体）、エラストマー、ゴム、シリコン、ＰＥＦ（発泡ポリエチレン）、ソルボセイン等から構成されており、硬度は、６０Ａ以上１００Ａ以下（ＪＩＳ  Ｋ  ６２５３表示）となり、好ましくは、８０Ａ程度とされている。
【００２５】
受球面皮１０等は、３０Ａ以上〜６０Ａ未満程度とされており、捕球補助部２０の硬度の方が、受球面皮１０の硬度より大きく、変形し難いものとなっている。また、捕球補助部２０の表面の摩擦係数は、受球面皮１０の摩擦係数より大きいものとなっている。
【００２６】
図６は、ボールを捕球した際の捕球具１の平面図である。この図６に示されるように、ボールが土手部８０を介して、捕球具１の外方にこぼれ落ちる際に、捕球補助部２０によって支持される。さらに、ボールが捕球補助部２０で捕球具１内に向けて跳ね返ることにより、落球を抑制することができる。
【００２７】
さらに、ボールを親指袋２と、中指袋５または薬指袋６とで挟持した際、親指袋２からボールに加えられる応力Ｐ１と、中指袋５または薬指袋６からボールに加えられる応力Ｐ２との合力Ｐ３は、土手部８０を通って、捕球具１の外方に向かう方向とされている。このため、ボールに加えられる合力Ｐ３が、ボールと捕球具１との間に生じる摩擦力より大きくなると、ボールが土手部８０を通って、外方に飛び出そうとする。その一方で、この捕球具１は、土手部８０に捕球補助部２０が設けられているため、捕球補助部２０にボールが引っ掛かり、ボールの落球が抑制されている。
【００２８】
また、捕球補助部２０は、上記のような硬度を有しているため、捕球補助部２０に引っ掛かったボールを、親指袋２と中指袋５または薬指袋６などで把持する際に、捕球補助部２０が変形することが抑制されており、良好にボールを把持することができる。
【００２９】
さらに、受球面皮１０の表面は、摩擦係数が高いため、ボールは、捕球補助部２０にて引っ掛かり易く、落球を良好に抑制することができる。
【００３０】
図７は、ボールが捕球補助部２０にて引っ掛かったときの開口部８１側から捕球具１を見た斜視図である。この図７に示されるように、捕球補助部２０は、上記のような高さＨを有しているため、ボールと受球面皮１０との間に生じる隙間Ｇの少なくとも一部を閉塞することができる。このため、土手部８０を介して、ボールが落球する際に、ボールと捕球補助部２０とが接触し、捕球補助部２０によって、ボールの落球を抑制することができる。
【００３１】
その上、図４、５に示されるように、捕球補助部２０下に土手芯材３０を配置しているので、ボールが捕球補助部２０と当接したときや、捕球補助部２０を用いて、ボールを把持した際に、捕球補助部２０が捕球具１内に沈み込むことを抑制することができる。このように、捕球補助部２０が沈み込むことを抑制することができるので、捕球補助部２０によって、落球を良好に抑止することができる。
【００３２】
また、図５において、傾斜面２３ａと受球面皮１０との成す角度θが、４５°以上とされているため、傾斜面２３ａと当接したボールは、ポケット部９０側に向けて跳ね返り易くなっている。
【００３３】
なお、図１において、捕球補助部２０は、親指袋２の付根部２ａと、小指袋７の付根部７ａとの間に配置されているため、捕球の際、親指袋２を屈曲させたり、小指袋７を屈曲させたりする際に、捕球補助部２０が親指袋２および小指袋７の屈曲を阻害しないようになっている。
【００３４】
また、捕球補助部２０が上記のような位置に配置されているため、親指袋２のウエブ部３側の側面の基部から、小指袋７の付根部７ａ側に亘って、折り癖をつける際に、捕球補助部２０が邪魔とならないようになっている。
【００３５】
図８は、図１に示された捕球具１の第１変形例を示す正面図である。この図８に示されるように、捕球補助部２０ａ、２０ｂを、土手部８０側からポケット部９０側に向けて複数配列してもよい。
【００３６】
このように、複数の捕球補助部２０ａ、２０ｂを配列させることにより、土手部８０を介して落球するボールを、捕球補助部２０ａ、２０ｂで高確率で引っ掛けることができる。なお、捕球補助部２０、２０ａ、２０ｂは、親指袋２側から小指袋７側に向けて直線状に設けられているが、これに限られない。たとえば、捕球補助部２０、２０ａ、２０ｂのポケット部９０側の周面の長さが、土手部８０側の周面より短くなるように湾曲した形状としてもよい。
【００３７】
図９は、図１に示された捕球具１の第２変形例を示す正面図である。この図９に示されるように、捕球補助部２０ｃ、２０ｄを、親指袋２の付根部２ａ側から、小指袋７の付根部７ａ側に向けて複数配列してもよい。図１０は、図１に示された捕球具１の第３変形例を示す正面図であり、さらに複数の捕球補助部２０ｅ，２０ｆ，２０ｇ，２０ｈを配列した捕球具１を示す正面図である。
【００３８】
これら、図９、図１０に示されるように、親指袋２の付根部２ａ側から小指袋７の付根部７ａ側に亘って、複数の捕球補助部２０ｃ〜２０ｈを配列させることにより、親指袋２の付根部２ａ側から、いずれかの各捕球補助部２０ｃ〜２０ｈ間を通るような折り癖を設定することができる。
【００３９】
すなわち、図１０に示すように、複数の捕球補助部２０ｅ〜２０ｈを配列することにより、使用者の好みに合わせて、捕球補助部２０ｅと捕球補助部２０ｆとの間、捕球補助部２０ｆと捕球補助部２０ｇとの間、捕球補助部２０ｇと捕球補助部２０ｈとの間のいずれかを通るような折り癖をつけることができる。
【００４０】
ここで、ボールを捕球する際には、土手部８０も僅かに湾曲する。そこで、上記のように、親指袋２の付根部２ａ側から小指袋７の付根部７ａ側に向けて複数の捕球補助部２０ｃ〜２０ｈを配列させることにより、捕球補助部２０ｃ〜２０ｈも、土手部８０が湾曲するに従って、ボールの周面に沿うように、変位する。このため、ボールが捕球補助部２０ｃ〜２０ｈに引っ掛かり易くなる。
【００４１】
図１１は、図１に示された捕球具１の第４変形例を示す正面図である。この図１１に示されるように、上面視した際に、略三角形形状とされた捕球補助部２０ｉ，２０ｊ，２０ｋ，２０ｌが、親指袋２の付根部２ａ側から小指袋７の付根部７ａに亘って複数配列されている。
【００４２】
この図１１に示されるように、捕球補助部２０ｊと捕球補助部２０ｋとの間は、開口部８１側からポケット部９０側に向かうに従って、小指袋７側から親指袋２側に向けて傾斜している。このため、親指袋２のウエブ部３側の基部から、捕球補助部２０ｊと捕球補助部２０ｋとの間を通るような折り癖を容易に、形成することができる。
【００４３】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【００４４】
本発明は、野球またはソフトボール用捕球具に好適である。
【図面の簡単な説明】
【００４５】
【図１】本実施の形態に係る捕球具（野球またはソフトボール用捕球具）の正面図である。
【図２】開口部側から捕球具を見た斜視図である。
【図３】（ａ）は、背面皮の正面図であり、（ｂ）は、受球面皮の正面図であり、（ｃ）は、手甲皮の正面図であり、（ｄ）は、手掌皮の正面図である。
【図４】裏皮１７の正面図である。
【図５】図１のＶ−Ｖ線における断面図である。
【図６】ボールを捕球した際の捕球具の平面図である。
【図７】ボールが捕球補助部にて引っ掛かったときの開口部側から捕球具を見た斜視図である。
【図８】図１に示された捕球具の第１変形例を示す正面図である。
【図９】図１に示された捕球具の第２変形例を示す正面図である。
【図１０】図１に示された捕球具の第３変形例を示す正面図である。
【図１１】図１に示された捕球具の第４変形例を示す正面図である。
【符号の説明】
【００４６】
１  捕球具、２  親指袋、４  人差指袋、５  中指袋、６  薬指袋、７  小指袋、９  背面皮、１０  受球面皮、１１  手甲皮、１２  手掌皮、１６  表皮、１７  裏皮、２０  捕球補助部、３０  土手芯材、８０  土手部、８１  開口部、９０  ポケット部。
【図１】
2007267812.tif 000003
【図２】
2007267812.tif 000004
【図３】
2007267812.tif 000005
【図４】
2007267812.tif 000006
【図５】
2007267812.tif 000007
【図６】
2007267812.tif 000008
【図７】
2007267812.tif 000009
【図８】
2007267812.tif 000010
【図９】
2007267812.tif 000011
【図１０】
2007267812.tif 000012
【図１１】
2007267812.tif 000013